(57)【要約】【課題】本発明の目的は、表示内容を適切なタイミングで表示の開始及び終了を行うと共に消費電力を削減し得る携行可能な画像表示装置の提供である。【解決手段】本発明の携行可能な画像表示装置１は、通信信号を受信する通信部１３と、画像を表示する表示部１１と、表示部１１で表示する画像に係る画像信号を生成する画像生成部１９と、画像が表示されるように表示部１１を画像信号に基づいて駆動する表示駆動部１２と、表示部１１及び表示駆動部１２に供給される電力を調節する電力調節部１７と、表示部１１に表示される内容に関する第１データ及び電力調節部１７を制御する第２データを収容する通信信号を通信部１３で受信した場合に、第１データに応じて表示部１１に画像を表示させると共に、第２データに基づいて電力調整部１７に供給電力を削減又は停止させる制御部２３とを備える。【選択図】  図２
2004309577.tif 000002
【特許請求の範囲】
【請求項１】
通信信号を受信する通信部と、
画像を表示する表示部と、
前記表示部で表示する画像に係る画像信号を生成する画像生成部と、
前記画像が表示されるように前記表示部を前記画像信号に基づいて駆動する表示駆動部と、
前記表示部及び前記表示駆動部に供給される電力を調節する電力調節部と、
前記表示部に表示される内容に関する第１データ及び前記電力調節部を制御する第２データを収容する通信信号を前記通信部で受信した場合に、該第１データに応じて前記表示部に画像を表示させると共に、該第２データに基づいて前記電力調整部に供給電力を削減又は停止させる制御部とを備えること
を特徴とする携行可能な画像表示装置。
【請求項２】
前記第１データは、前記表示部に表示される内容を表すデータである表示データであり、
前記第２データは、表示開始を指示するデータであるトリガーデータ及び表示している時間を表す時間データであり、
前記制御部は、前記表示データを前記画像生成部に出力して前記表示部に該表示データに基づく画像を該トリガーデータに応じて前記電力調節部に通常の電力供給を開始させることによって表示開始させると共に、該時間データに基づく時間の経過後に前記電力調節部に供給電力を削減又は停止させること
を特徴とする請求項１に記載の携行可能な画像表示装置。
【請求項３】
前記表示部に表示される内容を表すデータである表示データに該表示データを識別するための符号であるＩＤデータを対応づけて記憶する記憶部をさらに備え、
前記第１データは、前記ＩＤデータであり、
前記第２データは、表示開始を指示するデータであるトリガーデータ及び表示している時間を表す時間データであり、
前記制御部は、前記記憶部から前記通信信号に収容されたＩＤデータに対応する表示データを読み出して、該読み出した表示データを前記画像生成部に出力して前記表示部に該表示データに基づく画像を該トリガーデータに応じて前記電力調節部に通常の電力供給を開始させることによって表示開始させると共に、該時間データに基づく時間の経過後に前記電力調節部に供給電力を削減又は停止させること
を特徴とする請求項１に記載の携行可能な画像表示装置。
【請求項４】
前記表示部に表示される内容を表すデータである表示データ及び表示している時間を表す時間データに該表示データ及び該時間データを識別するための符号であるＩＤデータを対応づけて記憶する記憶部をさらに備え、
前記第１データは、前記ＩＤデータであり、
前記第２データは、表示開始を指示するデータであるトリガーデータであり、
前記制御部は、前記記憶部から前記通信信号に収容されたＩＤデータに対応する表示データ及び時間データを読み出して、該読み出した表示データを前記画像生成部に出力して前記表示部に該表示データに基づく画像を該トリガーデータに応じて前記電力調節部に通常の電力供給を開始させることによって表示開始させると共に、該読み出した時間データに基づく時間の経過後に前記電力調節部に供給電力を削減又は停止させること
を特徴とする請求項１に記載の携行可能な画像表示装置。
【請求項５】
前記表示部は、液晶表示素子であって、
該液晶表示素子を照明する照明部をさらに備え、
前記電力調節部は、さらに前記照明部に供給される電力を調節すること
を特徴とする請求項１乃至請求項４の何れか１項に記載の携行可能な画像表示装置。
【発明の詳細な説明】
【０００１】
【発明の属する技術分野】
本発明は、表示内容を適切なタイミングで表示の開始及び終了を行うと共に、消費電力を削減することができる携行可能な画像表示装置に関する。
【０００２】
【従来の技術】
近年、通信技術や画像表示技術等におけるエレクトロニクス技術の発達により、画像管理装置から通信信号によって画像データを携帯型画像表示端末に送信する技術が開発されている。このような携帯型画像表示端末は、通常、電池で駆動するため、長時間に亘って利用可能とするために節電する必要がある。
【０００３】
例えば、特許文献１には、ダイヤルアップ接続によってインターネットに接続しＵＲＬで指定したサーバに接続することによって、このサーバからデータ表示手段に表示するファイルデータを取得する携帯情報端末であって、このダイヤルアップ接続からファイルデータを取得するまでの間、データ表示手段への電力供給を通常時より低く制限する若しくは遮断する携帯情報端末について開示されている。
【０００４】
また、例えば、特許文献２には、無線ＬＡＮの端末局において、アクセスポイントから送信予定時間を含む通信信号が予め送信され、送信予定時間が来るまで送受信回路への電力供給を停止する端末局について開示されている。
【０００５】
【特許文献１】
特開２００２−１５７０５４号公報
【特許文献２】
特開２００２−３００１７５号公報
【０００６】
【発明が解決しようとする課題】
ところで、携行可能な画像表示装置は、携行可能であって情報提示が可能であることから、映画や観劇などの字幕表示、ナビゲーションシステムにおける指示表示及び作業支援、博物館や美術館等の展示館における展示品の解説表示、そして、遊園地やテーマパークにおけるアトラクションへの利用等様々な用途への応用が要望されている。これら用途では、拝観者や作業者等の使用者（ユーザ）に適切なタイミングで表示内容の表示を開始することが必要である。そして、臨場感を増したりプログラムの進行に整合させたりする必要から適切なタイミングで表示内容の表示を終了することも必要である。
【０００７】
一方、携行可能な画像表示装置も、通常、電池で駆動されることから、長時間に亘って使用可能とするために節電する必要がある。
【０００８】
本発明は、上述の事情に鑑みて為された発明であり、表示内容を適切なタイミングで表示の開始及び終了を行うと共に、消費電力を削減することができる携行可能な画像表示装置を提供することを目的とする。
【０００９】
【課題を解決するための手段】
上述の目的を達成するために、本発明に係る第１の携行可能な画像表示装置は、通信信号を受信する通信部と、画像を表示する表示部と、前記表示部で表示する画像に係る画像信号を生成する画像生成部と、前記画像が表示されるように前記表示部を前記画像信号に基づいて駆動する表示駆動部と、前記表示部及び前記表示駆動部に供給される電力を調節する電力調節部と、前記表示部に表示される内容に関する第１データ及び前記電力調節部を制御する第２データを収容する通信信号を前記通信部で受信した場合に、該第１データに応じて前記表示部に画像を表示させると共に、該第２データに基づいて前記電力調整部に供給電力を削減又は停止させる制御部とを備える。
【００１０】
このような構成の携行可能な画像表示装置では、制御部は、第１データ及び第２データを収容する通信信号を通信部で受信した場合に、この第１データに応じて表示駆動部を用いて表示部に画像を表示させると共に、この第２データに基づいて電力調整部に供給電力を削減又は停止させる。このため、この画像表示装置は、第１データに係る表示内容を電力調整部が供給電力を調整することによって適切なタイミングで表示部に表示を開始し得ると共に表示を終了し得る。そして、表示部及び表示駆動部の消費電力を削減することができる。
【００１１】
本発明に係る第２の携行可能な画像表示装置は、第１の携行可能な画像表示装置において、前記第１データは、前記表示部に表示される内容を表すデータである表示データであり、前記第２データは、表示開始を指示するデータであるトリガーデータ及び表示している時間を表す時間データであり、前記制御部は、前記表示データを前記画像生成部に出力して前記表示部に該表示データに基づく画像を該トリガーデータに応じて前記電力調節部に通常の電力供給を開始させることによって表示開始させると共に、該時間データに基づく時間の経過後に前記電力調節部に供給電力を削減又は停止させる。
【００１２】
このような構成の携行可能な画像表示装置では、制御部は、表示データを画像生成部に出力して表示部にこの表示データに基づく画像をこのトリガーデータに応じて電力調節部に通常の電力供給を開始させることによって表示開始させると共に、この時間データに基づく時間の経過後に電力調節部に供給電力を削減又は停止させる。このため、この画像表示装置は、表示データに係る表示内容を電力調整部がトリガーデータに応じて供給電力を調整することによって適切なタイミングで表示部に表示を開始することができ、電力調整部が時間データに応じて供給電力を調整することによって適切なタイミングで表示を終了することができる。そして、表示部及び表示駆動部の消費電力を削減することができる。
【００１３】
本発明に係る第３の携行可能な画像表示装置は、第１の携行可能な画像表示装置において、前記表示部に表示される内容を表すデータである表示データに該表示データを識別するための符号であるＩＤデータを対応づけて記憶する記憶部をさらに備え、前記第１データは、前記ＩＤデータであり、前記第２データは、表示開始を指示するデータであるトリガーデータ及び表示している時間を表す時間データであり、前記制御部は、前記記憶部から前記通信信号に収容されたＩＤデータに対応する表示データを読み出して、該読み出した表示データを前記画像生成部に出力して前記表示部に該表示データに基づく画像を該トリガーデータに応じて前記電力調節部に通常の電力供給を開始させることによって表示開始させると共に、該時間データに基づく時間の経過後に前記電力調節部に供給電力を削減又は停止させる。
【００１４】
このような構成の携行可能な画像表示装置では、表示データを記憶する記憶部をさらに備え、通信信号にその表示データを特定するためのＩＤデータを収容するので、通信信号に表示データを収容する場合に較べて通信信号に収容されるデータ量を削減することができる。このため、占有無線帯域が減り、他の通信の無線帯域と間隔を空けることができるので、他の通信とのクロストーク等を減少することができる。また、制御部は、記憶部から通信信号に収容されたＩＤデータに対応する表示データを読み出して、この読み出した表示データを画像生成部に出力して表示部にこの表示データに基づく画像をこのトリガーデータに応じて電力調節部に通常の電力供給を開始させることによって表示開始させると共に、この時間データに基づく時間の経過後に電力調節部に供給電力を削減又は停止させる。このため、この画像表示装置は、表示データに係る表示内容を電力調整部がトリガーデータに応じて供給電力を調整することによって適切なタイミングで表示部に表示を開始することができ、電力調整部が時間データに応じて供給電力を調整することによって適切なタイミングで表示を終了することができる。そして、表示部及び表示駆動部の消費電力を削減することができる。
【００１５】
本発明に係る第４の携行可能な画像表示装置は、第１の携行可能な画像表示装置において、前記表示部に表示される内容を表すデータである表示データ及び表示している時間を表す時間データに該表示データ及び該時間データを識別するための符号であるＩＤデータを対応づけて記憶する記憶部をさらに備え、前記第１データは、前記ＩＤデータであり、前記第２データは、表示開始を指示するデータであるトリガーデータであり、前記制御部は、前記記憶部から前記通信信号に収容されたＩＤデータに対応する表示データ及び時間データを読み出して、該読み出した表示データを前記画像生成部に出力して前記表示部に該表示データに基づく画像を該トリガーデータに応じて前記電力調節部に通常の電力供給を開始させることによって表示開始させると共に、該読み出した時間データに基づく時間の経過後に前記電力調節部に供給電力を削減又は停止させる。
【００１６】
このような構成の携行可能な画像表示装置では、表示データ及び時間データを記憶する記憶部をさらに備え、通信信号にその表示データ及び時間データを特定するためのＩＤデータを収容するので、通信信号に表示データや時間データを収容する場合に較べて通信信号に収容されるデータ量を削減することができる。このため、占有無線帯域がさらに減り、他の通信の無線帯域と間隔をさらに空けることができるので、他の通信とのクロストーク等をより減少することができる。また、制御部は、記憶部から通信信号に収容されたＩＤデータに対応する表示データ及び時間データを読み出して、この読み出した表示データを画像生成部に出力して表示部にこの表示データに基づく画像をこのトリガーデータに応じて電力調節部に通常の電力供給を開始させることによって表示開始させると共に、この読み出した時間データに基づく時間の経過後に電力調節部に供給電力を削減又は停止させる。このため、この画像表示装置は、表示データに係る表示内容を電力調整部がトリガーデータに応じて供給電力を調整することによって適切なタイミングで表示部に表示を開始することができ、電力調整部が時間データに応じて供給電力を調整することによって適切なタイミングで表示を終了することができる。そして、表示部及び表示駆動部の消費電力を削減することができる。
【００１７】
本発明に係る第５の携行可能な画像表示装置は、第１乃至第４の携行可能な画像表示装置において、前記表示部は、液晶表示素子であって、該液晶表示素子を照明する照明部をさらに備え、前記電力調節部は、さらに前記照明部に供給される電力を調節する。
【００１８】
このような構成の携行可能な画像表示装置では、表示部に透過型液晶表示素子を用いた場合に、表示内容を適切なタイミングで表示の開始及び終了を行うと共に、消費電力を削減することができる。
【００１９】
【発明の実施の形態】
以下、本発明に係る実施形態を図面に基づいて説明する。なお、各図において同一の構成については、同一の符号を付し、その説明を省略する。まず、本実施形態の構成について説明する。
（実施形態の構成）
図１は、画像表示システムの構成を示す図である。図２は、画像表示装置の構成を示すブロック図である。図３は、通信信号のフォーマットを示す図である。図３（Ａ）は、通信信号が表示・時間通信信号の場合であり、図３（Ｂ）は、通信信号がＩＤ・時間通信信号の場合であり、図３（Ｃ）は、通信信号がＩＤ通信信号の場合であり、図３（Ｄ）は、通信信号が表示通信信号の場合であり、図３（Ｅ）は、通信信号が時間通信信号の場合であり、そして、図３（Ｆ）は、通信信号が表示・時間・ＩＤ通信信号の場合である。
【００２０】
図１において、画像表示システムは、画像表示装置１と、無線通信によって画像表示装置１を制御する画像表示制御装置６とを備えて構成される。画像表示制御装置６は、通信信号を画像表示装置１に送信することによって、画像表示装置１に表示される表示内容の表示開始時間と表示継続時間とを制御する。画像表示装置１に表示される表示内容等は、後述するように、画像表示制御装置６から通信信号によって画像表示装置１に送信する場合と、画像表示装置１に予め記憶されている場合とがある。画像表示制御装置６は、映画館、劇場、作業場、展示館、遊園地等で１個設けて集中制御してもよく、また、作業場における機器ごと、展示館の展示品ごと、遊園地におけるアトラクションごとに設けて個別に制御してもよい。
【００２１】
画像表示装置１と画像表示制御装置６との間の無線通信は、例えば、ＩｒＤＡ（赤外線通信）、Ｂｌｕｅｔｏｏｔｈ（ブルートゥース、商標）及びＩＥＥＥ８０２．１１等の通信プロトコルに従って行われる。画像表示装置１と画像表示制御装置６とのコネクションの確立は、例えば、画像表示装置１が一定の時間間隔で自機のアドレスを送信し、画像表示装置１が画像表示制御装置６と通信可能な範囲にまで近づくと、画像表示制御装置６が画像表示装置１のアドレスを受信し、このアドレスに応じて後述の通信信号を画像表示装置１に送信する。また例えば、画像表示装置１にいわゆるＲＦタグを備えさせ画像表示制御装置６にＲＦタグリーダを備えさせて、画像表示装置１と画像表示制御装置６とのコネクションの確立は、画像表示制御装置６がＲＦタグリーダでＲＦタグをスキャンすることによってＲＦタグを発見し、発見したＲＦタグからＲＦタグリーダで画像表示装置１のアドレスを読み取り、このアドレスに応じて後述の通信信号を画像表示装置１に送信する。
【００２２】
図２において、画像表示装置１は、画像表示制御装置６から受信した通信信号に従って画像の表示を開始及び終了する携行可能な表示装置であって、表示部１１、表示駆動部１２、通信部１３、アンテナ１４、周辺機器Ｉ／Ｆ部１６、電力調節部１７、入力部１８、画像生成部１９、記憶部２０、電源部２１、バス２２及び制御部２３を備えて構成される。
【００２３】
表示部１１は、表示駆動部１２の制御に応じて画像を表示する装置であり、例えば、ＣＲＴディスプレイ、液晶ディスプレイ（ＬＣＤ）及び有機ＥＬのディスプレイ等である。表示駆動部１２は、表示部１１に所定の表示内容の画像が表示されるように、画像生成部１９からの画像信号に応じて表示部１１を駆動する回路である。ここで、表示部１１がＬＣＤである場合には、図２に破線で示す照明部１５が必要となる。照明部１５は、表示部（ＬＣＤ）１１を照明するバックライトであり、例えば、ＬＥＤ、冷陰極管、蛍光灯及び電球等の光源である。なお、照明部１５は、光源から表示部１１を直接照射するタイプでもよいし、表示部１１の一方側に設けられた光源からの光を導光板で他方側まで導き表示部１１全体を照射するタイプでもよい。
【００２４】
アンテナ（空中線）１４は、通信信号で変調された搬送波の電磁波を空間から捉えて搬送波の電気信号に変換する部品である。通信部１３は、アンテナ１４から入力された搬送波の電気信号を復調することによって通信信号を取り出す受信回路である。
【００２５】
ここで、アンテナ１４及び通信部１３が受信する通信信号について説明する。図３において、本実施形態の画像表示装置１に受信され得る通信信号は、通信プロトコルのヘッダー情報を収容するヘッダ４１と、通信すべきデータを収容するペイロード４２とを備えて構成される。ヘッダー情報は、通信信号を伝送するために必要な情報や通信信号に収容されるデータの属性の情報等であり、画像表示装置１が採用する通信プロトコルによってその内容が決定される。ヘッダー情報には、例えば、個々の画像表示装置１を特定するための送信先アドレスが含まれる。通信信号は、ペイロード４２に収容されるデータの内容によって、表示・時間通信信号３１、ＩＤ・時間通信信号３２、ＩＤ通信信号３３、表示通信信号３４、時間通信信号３５及び表示・時間・ＩＤ通信信号３６に区別される。
【００２６】
図３（Ａ）において、表示・時間通信信号３１は、画像表示装置１に表示開始を指示するデータであるトリガーデータ４２１、画像表示装置１の表示部１１に表示される内容（表示内容Ｃ）を表すデータである表示データ４２２及び表示部１１に表示内容Ｃを表示している時間（表示時間Ｔ）を表すデータである時間データ４２３がペイロード４２に収容される。図３（Ｂ）において、ＩＤ・時間通信信号３２は、トリガーデータ４２１、記憶部２０に記憶されているデータを識別するための符号（ＩＤ；ｉｄｅｎｔｉｆｉｃａｔｉｏｎ）であるＩＤデータ４２４及び時間データ４２３がペイロード４２に収容される。
【００２７】
図３（Ｃ）において、ＩＤ通信信号３３は、トリガーデータ４２１及びＩＤデータ４２４がペイロード４２に収容される。図３（Ｄ）において、表示通信信号３４は、トリガーデータ４２１及び表示データがペイロード４２に収容される。図３（Ｅ）において、時間通信信号３５は、時間データ４２３がペイロード４２に収容される。図３（Ｆ）において、表示・時間・ＩＤ通信信号３６は、表示データ４２２、時間データ４２３及びＩＤデータ４２４がペイロード４２に収容される。
【００２８】
なお、通信信号が可変長である場合には、データ長の情報がヘッダ４１に収容され、通信信号が固定長である場合には、図３（Ｃ）乃至（Ｅ）に破線で示す部分にダミーデータ４２５が収容される。
【００２９】
図２に戻って、周辺機器Ｉ／Ｆ部１６は、この画像表示装置１と周辺機器との間でデータを送受信するためのインターフェースであり、例えば、ＲＳ−２３２Ｃ、ＳＣＳＩ（Ｓｍａｌｌ  Ｃｏｍｐｕｔｅｒ  Ｓｙｓｔｅｍ  Ｉｎｔｅｒｆａｃｅ）、ＵＳＢ（Ｕｎｉｖｅｒｓａｌ  Ｓｅｒｉａｌ  Ｂｕｓ）、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）、ＩＥＥＥ１３９４、ＩＥＥＥ１２８４−１９９４等の規格に従ったインターフェースである。
【００３０】
電力調節部１７は、制御部２３の制御信号に応じて表示部１１及び表示駆動部１２への電力供給を削減又は停止する回路である。なお、照明部１５が備えられている場合には、電力調整部１７は、この照明部１５へも制御部２３の制御信号に応じて電力供給を削減又は停止する。削減とは、表示部１１、表示駆動部１２及び照明部１５の全機能を充分に機能させるに必要な通常の電力よりも少なくすることであり、停止とは、表示部１１、表示駆動部１２及び照明部１５への電力供給を零にすることである。
【００３１】
入力部１８は、コマンドやデータ等を画像表示装置１に入力するための装置であり、タッチペン、複数のスイッチ、タッチパネル、ポインティングデバイス、テンキー、キーボード及びマウス等の入力デバイスである。例えば、画像表示装置１がＰＤＡ（Ｐｅｒｓｏｎａｌ  Ｄｉｇｉｔａｌ  Ａｓｓｉｓｔａｎｔ）に実装される場合には、タッチペンあるいはカーソルキー、決定キー及び取消キーで構成される複数のスイッチである。また例えば、画像表示装置１が頭部搭載型ディスプレイ（Ｈｅａｄ  Ｍｏｕｎｔｅｄ  Ｄｉｓｐｌａｙ）に実装される場合には、カーソルキー、決定キー及び取消キーで構成される複数のスイッチである。また例えば、画像表示装置１がサブノートパーソナルコンピュータに実装される場合には、タッチパネル、ポインティングデバイス、テンキー、キーボード又はマウス等である。
【００３２】
画像生成部１９は、制御部２３における後述の表示コアモジュール処理部２３４からの出力に応じて、表示部１１に表示する表示内容Ｃの画像信号を生成する回路である。
【００３３】
記憶部２０は、自機の通信用アドレス、制御部２３が実行する制御プログラム、制御プログラムに必要なデータ及び制御プログラムの実行中に生じるデータ等を記憶する回路であり、例えば、ＲＯＭ（Ｒｅａｄ  Ｏｎｌｙ  Ｍｅｍｏｒｙ）やＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の不揮発性のメモリやＲＡＭ（Ｒａｎｄｏｍ  Ａｃｃｅｓｓ  Ｍｅｍｏｒｙ）等の揮発性のメモリである。
【００３４】
電源部２１は、電池等の電源の電圧を安定化して画像表示装置１の各部に電力を供給する安定化電源回路である。ここで、電源部２１と表示部１１、表示駆動部１２及び照明部１５との間には、電源部２１からこれら各部への電力供給を削減又は停止する１又は複数のスイッチ回路が設けられ、スイッチ回路のオン・オフは、電力調節部１７によって制御される。例えば、電源部２１と表示駆動部１２との間には、複数のスイッチ回路が設けられ、一部をオンに残部をオフすることによって供給電力が削減され、全部をオフすることによって供給電力が停止される。
【００３５】
制御部２３は、メイン処理部２３１、トリガー受信処理部２３２、表示モジュール処理部２３３、表示コアモジュール処理部２３４及びタイマ２３５等の処理部を備え、表示駆動部１２、通信部１３、照明部１５、周辺機器Ｉ／Ｆ部１６、電力調節部１７、入力部１８、画像生成部１９、記憶部２０及び電源部２１にバス２２を介して接続され、これら各部を各処理部２３１、２３２、２３３、２３４が制御プログラムを実行することによって制御する。メイン処理部２３１は、制御プログラムにおける後述のメインプログラムを実行する処理部であり、トリガー受信処理部２３２は、制御プログラムにおける後述のトリガー受信プログラムを実行する処理部であり、表示モジュール処理部２３３は、制御プログラムにおける後述の表示モジュールプログラムを実行する処理部であり、そして、表示コアモジュール処理部２３４は、制御プログラムにおける後述のトリガー受信プログラムを実行する処理部である。また、タイマ２３５は、一定時間を計時する処理部であり、表示コアモジュール処理部２３４によって表示時間Ｔがセットされるとカウントダウンを始めカウントが０になるとタイムアウトを表示コアモジュール処理部２３４に通知する。制御部２３は、例えば、マイクロプロセッサ等を備えて構成される。
【００３６】
制御部２３は、後に詳述するように、例えば、表示部１１に表示される内容に関する第１データ（表示データ４２２）及び電力調節部を制御する第２データ（トリガーデータ４２１又は時間データ４２３）を収容する通信信号を通信部１３で受信した場合に、第１データに応じて表示部１１に画像を表示させると共に、第２データに基づいて電力調整部１７に供給電力を削減又は停止させるように動作する。
【００３７】
そして、制御部２３は、後に詳述するように、例えば、表示データ４２２を画像生成部１９に出力して表示部１１に表示データ４２２に基づく画像をトリガーデータ４２１に応じて電力調節部１７に通常の電力供給を開始させることによって表示開始させると共に、時間データ４２３に基づく時間の経過後に電力調節部１７に供給電力を削減又は停止させるように動作する。
【００３８】
また、制御部２３は、後に詳述するように、例えば、記憶部２０から通信信号に収容されたＩＤデータ４２４に対応する表示データを読み出して、読み出した表示データを画像生成部１９に出力して表示部１１に表示データに基づく画像をトリガーデータ４２１に応じて電力調節部１７に通常の電力供給を開始させることによって表示開始させると共に、時間データ４２３に基づく時間の経過後に電力調節部１７に供給電力を削減又は停止させるように動作する。
【００３９】
さらに、制御部２３は、後に詳述するように、例えば、記憶部２０から通信信号に収容されたＩＤデータ４２４に対応する表示データ及び時間データを読み出して、読み出した表示データを画像生成部１９に出力して表示部１１に表示データに基づく画像をトリガーデータ４２１に応じて電力調節部１７に通常の電力供給を開始させることによって表示開始させると共に、読み出した時間データに基づく時間の経過後に電力調節部１７に供給電力を削減又は停止させるように動作する。
【００４０】
また、制御部２３は、後に詳述するように、例えば、トリガーデータ４２１及び表示データ４２２を収容する第１通信信号を受信した場合に、表示データ４２２を画像生成部１９に出力して表示部１１に該表示データに基づく画像をトリガーデータ４２１に応じて電力調節部１７に通常の電力供給を開始させることによって表示開始させると共に、時間データ４２３を収容する第２通信信号を受信した場合に、時間データ４２３に基づく時間の経過後に電力調節部１７に供給電力を削減又は停止させるように動作する。
【００４１】
さらに、制御部２３は、後に詳述するように、例えば、表示データ４２２、時間データ４２３及びＩＤデータ４２４を収容する第１通信信号を受信した場合に、収容されている表示データ４２２及び時間データ４２３をＩＤデータ４２４と対応づけて記憶部２０に記憶させ、トリガーデータ４２１及びＩＤデータ４２４を収容する第２通信信号を受信した場合に、記憶部２０から第２通信信号に収容されたＩＤデータ４２４に対応する表示データ４２２及び時間データ４２３を読み出して、読み出した表示データ４２２を画像生成部１９に出力して表示部１１に表示データ４２２に基づく画像をトリガーデータ４２１に応じて電力調節部１７に通常の電力供給を開始させることによって表示開始させると共に、読み出した時間データ４２３に基づく時間の経過後に電力調節部１７に供給電力を削減又は停止させるように動作する。
【００４２】
次に、本実施形態の動作について説明する。
（実施形態の動作）
図４は、制御プログラムにおけるメインプログラムのフローチャートを示す図である。図５は、制御プログラムにおけるトリガー受信プログラムのフローチャートを示す図である。図６は、制御プログラムの表示モジュールプログラムのフローチャートを示す図ある。図７は、制御プログラムにおけるトリガー検知プログラムのフローチャートを示す図である。図８は、制御プログラムの表示コアモジュールプログラムのフローチャートを示す図である。
【００４３】
まず、メイン処理部２３１が実行するメインプログラムについて説明する。図４において、制御部２３は、例えば、画像表示装置１のメイン電源がオンされると記憶部２０に格納されている制御プログラムを読み込み、制御部２３のメイン処理部２３１は、制御プログラムのメインプログラムを実行し、アンテナ１４及び通信部１３を介して通信信号が受信されるまで待つ受信待機の状態となる（Ｓ１１）。メイン処理部２３１は、この受信待機の状態において、アンテナ１４及び通信部１３を介して通信信号が受信されると、この受信した受信通信信号が自機宛ての通信信号か否かを判断する（Ｓ１２）。この判断は、例えば、受信通信信号におけるヘッダ４１に収容される送信先アドレスが自機の通信用アドレスと一致するか否かを判別することによって行う。
【００４４】
判断の結果、その受信通信信号が自機宛ての通信信号ではない場合（Ｎｏ）には、メイン処理部２３１は、受信通信信号を破棄して処理をＳ１１に戻し、再び受信待機の状態となる。一方、判断の結果、その受信通信信号が自機宛ての通信信号である場合（Ｙｅｓ）には、メイン処理部２３１は、その受信通信信号のペイロード４２にトリガーデータ４２１が収容されているか否かを判断する（Ｓ１３）。
【００４５】
判断の結果、トリガーデータ４２１が収容されている場合（有り）には、メイン処理部２３１は、受信通信信号のペイロード４２に収容されているデータをトリガー受信処理部２３２に通知する。トリガー受信処理部２３２は、トリガー受信プログラムを実行することによって後述のトリガー受信処理を行って、トリガー受信処理が終了すると処理をメイン処理部２３１に戻す。そして、メイン処理部２３１は、処理をＳ１１に戻す（Ｓ１５）。
【００４６】
一方、判断の結果、トリガーデータが収容されていない場合（無し）には、メイン処理部２３１は、受信通信信号のペイロード４２に時間データ４２３のみが収容されているか否かを判断する（Ｓ１４）。
【００４７】
判断の結果、時間データ４２３のみが収容されている場合（Ｙｅｓ）には、メイン処理部２３１は、時間データ４２３を付加したメッセージ“表示時間制御”を生成し、これを表示モジュール処理部２３３に通知する。そして、メイン処理部２３１は、処理をＳ１１に戻す（Ｓ１６）。
【００４８】
一方、判断の結果、時間データ４２３のみが収容されていない場合（Ｎｏ）には、メイン処理部２３１は、受信通信信号を破棄して処理をＳ１１に戻し、再び受信待機の状態となる。
【００４９】
次に、上述のＳ１５におけるトリガー受信処理について説明する。
【００５０】
トリガー受信処理部２３２は、メイン処理部２３１から受信通信信号に収容されているデータが通知されると、制御プログラムのトリガー受信プログラムを実行することによって通知されたデータを以下のように処理する。
【００５１】
図５において、まず、トリガー受信処理部２３２は、通知された通知データを参照することによって受信通信信号が表示・時間通信信号３１か否かを判断する（Ｓ２１）。この判断は、通知データがトリガーデータ４２１、表示データ４２２及び時間データ４２３で構成されているか否かによって行う。
【００５２】
判断の結果、表示・時間通信信号３１ではない場合（Ｎｏ）には、トリガー受信処理部２３２は、処理Ｓ２３を実行する。一方、判断の結果、表示・時間通信信号３１である場合（Ｙｅｓ）には、トリガー受信処理部２３２は、通知データから表示データ４２２及び時間データ４２３を取り出し、表示データ４２２及び時間データ４２３を付加したメッセージ“トリガー検知”を生成し、これを表示モジュール処理部２３３に通知する。そして、トリガー受信処理部２３２は、処理をメイン処理部２３１に戻す（Ｓ２２）。
【００５３】
Ｓ２３において、トリガー受信処理部２３２は、通知データを参照することによって受信通信信号がＩＤ・時間通信信号３２か否かを判断する。この判断は、通知データがトリガーデータ４２１、ＩＤデータ４２４及び時間データ４２３で構成されているか否かによって行う。
【００５４】
判断の結果、ＩＤ・時間通信信号３２ではない場合（Ｎｏ）には、トリガー受信処理部２３２は、処理Ｓ２５を実行する。一方、判断の結果、ＩＤ・時間通信信号３２である場合（Ｙｅｓ）には、トリガー受信処理部２３２は、通知データからＩＤデータ４２４及び時間データ４２３を取り出し、ＩＤデータ４２４及び時間データ４２３を付加したメッセージ“トリガー検知”を生成し、これを表示モジュール処理部２３３に通知する。そして、トリガー受信処理部２３２は、処理をメイン処理部２３１に戻す（Ｓ２４）。
【００５５】
Ｓ２５において、トリガー受信処理部２３２は、通知データを参照することによって受信通信信号がＩＤ通信信号３３か否かを判断する。この判断は、通知データがトリガーデータ４２１及びＩＤデータ４２４で構成されているか否かによって行う。
【００５６】
判断の結果、ＩＤ通信信号３３ではない場合（Ｎｏ）には、トリガー受信処理部２３２は、処理Ｓ２７を実行する。一方、判断の結果、ＩＤ通信信号３３である場合（Ｙｅｓ）には、トリガー受信処理部２３２は、通知データからＩＤデータ４２４を取り出し、ＩＤデータ４２４を付加したメッセージ“トリガー検知”を生成し、これを表示モジュール処理部２３３に通知する。そして、トリガー受信処理部２３２は、処理をメイン処理部２３１に戻す（Ｓ２６）。
【００５７】
Ｓ２７において、トリガー受信処理部２３２は、通知データを参照することによって受信通信信号が表示通信信号３４か否かを判断する。この判断は、通知データがトリガーデータ４２１及び表示データ４２２で構成されているか否かによって行う。
【００５８】
判断の結果、表示通信信号３４ではない場合（Ｎｏ）には、トリガー受信処理部２３２は、処理をメイン処理部２３１に戻す。一方、判断の結果、表示通信信号３４である場合（Ｙｅｓ）には、トリガー受信処理部２３２は、通知データから表示データ４２２を取り出し、表示データ４２２を付加したメッセージ“トリガー検知”を生成し、これを表示モジュール処理部２３３に通知する。そして、トリガー受信処理部２３２は、処理をメイン処理部２３１に戻す（Ｓ２８）。
【００５９】
なお、Ｓ２１、Ｓ２３、Ｓ２５及びＳ２７における受信通信信号の種類は、通知データの内容によって判断したが、通信信号のヘッダ４１又はペイロード４２に通信信号の種類を示す符号を収容し、この符号によって判断するようにしてもよい。例えば、表示・時間通信信号３１に符号「０００１（Ｂ）」を当て、ＩＤ・時間通信信号３２に符号「００１０（Ｂ）」を当て、ＩＤ通信信号３３に符号「００１１（Ｂ）」を当て、表示通信信号３４に符号「０１００（Ｂ）」を当て、そして、時間通信信号３５に符号「０１０１（Ｂ）」を当て、通信信号の種類に応じてこれら符号の何れかをペイロード４２に収容する。なお、（Ｂ）は、２進数表示であることを示す。
【００６０】
次に、表示モジュール処理部２３３が実行する制御プログラムの表示モジュールプログラムについて説明する。
【００６１】
図６において、記憶部２０から制御プログラムが読み込まれると、制御部２３の表示モジュール処理部２３３は、制御プログラムの表示モジュールプログラムを実行し、メイン処理部２３１又はトリガー受信処理部２３２からメッセージが通知されるまで待つメッセージ待機の状態となる（Ｓ１０１）。
【００６２】
表示モジュール処理部２３３は、メイン処理部２３１又はトリガー受信処理部２３２からメッセージが通知されると、この通知された通知メッセージがメッセージ“バッファ書き込み”であるか否かを判断する（Ｓ１０２）。
【００６３】
判断の結果、メッセージ“バッファ書き込み”ではない場合（Ｎｏ）には、表示モジュール処理部２３３は、処理Ｓ１０４を実行する。一方、判断の結果、メッセージ“バッファ書き込み”である場合（Ｙｅｓ）には、表示モジュール処理部２３３は、通知メッセージに付加されている表示データ４２２、時間データ４２３及びＩＤデータ４２４をバッファ領域として確保されている記憶部２０の所定の記憶領域に表示データ４２２及び時間データ４２３をＩＤデータ４２４と対応付けて書き込む。そして、表示モジュール処理部２３３は、処理をＳ１０１に戻し、再びメッセージ待機の状態となる（Ｓ１０３）。
【００６４】
Ｓ１０４において、表示モジュール処理部２３３は、通知メッセージがメッセージ“トリガー検知”であるか否かを判断する。
【００６５】
判断の結果、メッセージ“トリガー検知”ではない場合（Ｎｏ）には、表示モジュール処理部２３３は、処理Ｓ１０６を実行する。一方、判断の結果、メッセージ“トリガー検知”である場合（Ｙｅｓ）には、表示モジュール処理部２３３は、後述のトリガー検知処理を実行する。そして、表示モジュール処理部２３３は、処理をＳ１０１に戻し、再びメッセージ待機の状態となる（Ｓ１０５）。
【００６６】
このようにトリガーデータを検知することによってトリガー検知処理が実行され、後述の表示部１１に画像を表示するための処理が開始される。
【００６７】
Ｓ１０６において、表示モジュール処理部２３３は、通知メッセージがメッセージ“表示時間制御”であるか否かを判断する。
【００６８】
判断の結果、メッセージ“表示時間制御”ではない場合（Ｎｏ）には、表示モジュール処理部２３３は、通知メッセージを破棄して処理をＳ１０１に戻し、再びメッセージ待機の状態となる。一方、判断の結果、メッセージ“表示時間制御”である場合（Ｙｅｓ）には、表示モジュール処理部２３３は、変数の表示時間Ｔに時間データ４２３を与え、表示時間Ｔを付加したメッセージ“表示スタート”を生成し、これを表示コアモジュール処理部２３４に通知する。そして、表示モジュール処理部２３３は、処理をＳ１０１に戻し、再びメッセージ待機の状態となる（Ｓ１０７）。
【００６９】
次に、上述のＳ１０５におけるトリガー検知処理について説明する。
【００７０】
図７において、表示モジュール処理部２３３は、メイン処理部２３１又はトリガー受信処理部２３２から通知されたメッセージ“トリガー検知”に時間データ４２３が付加されているか否かを判断する（Ｓ１１１）。
【００７１】
判断の結果、時間データ４２３が付加されていない場合（無し）には、表示モジュール処理部２３３は、時間データ５３が記憶部２０に記憶されているか否かを判断する（Ｓ１１２）。判断の結果、時間データ５３が記憶部２０に記憶されていない場合には、変数の表示時間Ｔに無限大の時間を与え（Ｓ１１５）、Ｓ１１６を処理する。一方、時間データ５３が記憶部２０に記憶されている場合には、通知されたメッセージ“トリガー検知”に付加されているＩＤデータ４２４と一致するＩＤデータ５１に対応する時間データ５３を記憶部２０から読み出し、この読み出した時間データ５３を表示時間Ｔに与え（Ｓ１１４）、Ｓ１１６を処理する。
【００７２】
なお、無限大の時間は、例えば、表示時間Ｔに与え得る最大時間である。例えば、表示時間Ｔが１６ビットで構成され、上位８ビットに‘分’を下位８ビットに秒を指定することができる場合には最大時間は、２５５分５９秒となる。
【００７３】
一方、Ｓ１１１で判断の結果、時間データ４２３が付加されている場合（有り）には、表示モジュール処理部２３３は、この時間データ４２３を表示時間Ｔに与え（Ｓ１１３）、Ｓ１１６を処理する。
【００７４】
Ｓ１１６において、表示モジュール処理部２３３は、メイン処理部２３１から通知されたメッセージ“トリガー検知”に表示データ４２２が付加されているか否かを判断する。
【００７５】
判断の結果、表示データ４２２が付加されていない場合（無し）には、通知されたメッセージ“トリガー検知”に付加されているＩＤデータ４２４と一致するＩＤデータ５１に対応する表示データ５２を記憶部２０から読み出し、この読み出した表示データ５２を変数の表示内容Ｃに与え（Ｓ１１８）、Ｓ１１９を処理する。一方、判断の結果、表示データ４２２が付加されている場合（有り）には、表示モジュール処理部２３３は、この表示データ４２２を表示内容Ｃに与え（Ｓ１１７）、Ｓ１１９を処理する。
【００７６】
Ｓ１１９において、表示モジュール処理部２３３は、表示内容Ｃ及び表示時間Ｔを付加したメッセージ“表示スタート”を生成し、これを表示コアモジュール処理部２３４に通知する。
【００７７】
次に、表示コアモジュール処理部２３４が実行する制御プログラムの表示コアモジュールプログラムについて説明する。
【００７８】
図８において、記憶部２０から制御プログラムが読み込まれると、制御部２３の表示コアモジュール処理部２３４は、制御プログラムの表示コアモジュールプログラムを実行し、表示モジュール処理部２３３からメッセージが通知されるまで待つメッセージ待機の状態となる（Ｓ２０１）。
【００７９】
表示コアモジュール処理部２３４は、表示モジュール処理部２３３からメッセージが通知されると、この通知された通知メッセージがメッセージ“表示スタート”であるか否かを判断する（Ｓ２０２）。
【００８０】
判断の結果、メッセージ“表示スタート”である場合には、表示コアモジュール処理部２３４は、通知メッセージに付加されている情報が表示時間Ｔのみか否かを判断する（Ｓ２０３）。判断の結果、表示時間Ｔのみである場合（Ｙｅｓ）には、表示コアモジュール２３４は、タイマ２３５が作動中か否かを判断する（Ｓ２０６）。判断の結果、タイマ２３５が作動中ではない場合（Ｎｏ）には、表示コアモジュール処理部２３４は、処理をＳ２０１に戻し、再びメッセージ待機の状態となる。一方、タイマ２３５が作動中である場合（Ｙｅｓ）には、Ｓ２０５を処理する。
【００８１】
Ｓ２０３で判断の結果、通知メッセージに付加されている情報が表示時間Ｔのみではない場合には、表示コアモジュール処理部２３４は、電力調節部１７に通常状態の電力供給を表示駆動部１２、表示部１１及び照明部１５を備える場合には照明部１５へ開始させ、通知メッセージに付加されている表示内容Ｃを画像生成部１９に転送し、画像生成部１９に表示内容Ｃに基づく画像信号を生成させ、生成した画像信号を表示駆動部１２に出力させることによって表示部１１に表示内容Ｃを表示させる（Ｓ２０４）。
【００８２】
次に、表示コアモジュール処理部２３４は、通知メッセージに付加されている表示時間Ｔをタイマ２３５にセットし、処理をＳ２０２に戻す（Ｓ２０５）。そして、タイマ２３５は、表示時間Ｔからカウントダウンを始める。
【００８３】
一方、Ｓ２０２で判断の結果、通知メッセージがメッセージ“表示スタート”ではない場合（Ｎｏ）には、表示コアモジュール処理部２３４は、タイマ２３５が動作中（カウントダウン中）であるか否かを判断する（Ｓ２０７）。判断の結果、動作中である場合（Ｙｅｓ）には、表示コアモジュール処理部２３５は、処理をＳ２０２に戻す。一方、判断の結果、動作中ではない場合（Ｎｏ）には、表示コアモジュール処理部２３４は、表示部１１に表示されている表示内容Ｃを消去する（Ｓ２０８）。そして、表示コアモジュール処理部２３４は、電力調節部１７を用いて表示部１１、表示駆動部１２及び照明部１５が設けられている場合には照明部１５に供給する電力を削減又は停止させ、処理をＳ２０１に戻し（Ｓ２０９）、再びメッセージ待機の状態となる。
【００８４】
このように画像表示装置１は、表示内容Ｃを表示時間Ｔだけ表示部１１に表示し、表示が終了すると表示部１１、表示駆動部１２及び照明部１５が設けられている場合には照明部１５に供給する電力を削減又は停止する。
【００８５】
次に、上述の動作説明に基づいて各種通信信号が受信された場合における画像表示装置１の動作を説明する。
【００８６】
まず、表示・時間通信信号３１が画像表示装置１に自機宛てで受信された場合における動作について説明する。
【００８７】
図４において、Ｓ１１における受信待機の状態で表示・時間通信信号３１を受信すると、制御部２３のメイン処理部２３１は、Ｓ１２で自機宛ての通信信号であると判断し、Ｓ１３でトリガーデータ４２１の有無を判断する。表示・時間通信信号３１には、図３（Ａ）に示すようにトリガーデータ４２１がペイロード４２に収容されているので、メイン処理部２３１は、Ｓ１５で表示・時間通信信号３１のペイロード４２に収容されているデータをトリガー受信処理部２３２に通知する。
【００８８】
図５において、トリガー受信処理部２３２は、Ｓ２１で通知データを参照することによって受信通信信号が表示・時間通信信号３１であると判断する。トリガー受信処理部２３２は、Ｓ２２で通知データから表示データ４２２及び時間データ４２３を取り出し、表示データ４２２及び時間データ４２３を付加したメッセージ“トリガー検知”を生成し、これを表示モジュール処理部２３３に通知する。そして、トリガー受信処理部２３２は、処理をメイン処理部２３１に戻す。メイン処理部２３１は、処理をＳ１１に戻し、再び受信待機の状態となる。
【００８９】
図６において、表示モジュール処理部２３２は、Ｓ１０１におけるメッセージ待機の状態で、表示データ４２２及び時間データ４２３が付加されたメッセージ“トリガー検知”の通知を受けると、Ｓ１０２で通知メッセージがメッセージ“バッファ書き込み”であるか否かを判断する。表示モジュール処理部２３２は、メッセージ“バッファ書き込み”ではないと判断し、Ｓ１０４で通知メッセージがメッセージ“トリガー検知”であるか否かを判断する。表示モジュール処理部２３２は、メッセージ“トリガー検知”であると判断し、Ｓ１０５でトリガー検知処理を行う。
【００９０】
図７において、表示モジュール処理部２３２は、Ｓ１１１でメッセージ“トリガー検知”に時間データ４２３が付加されているか否かを判断する。表示モジュール処理部２３２は、時間データ４２３が付加されていると判断し、Ｓ１１３で変数の表示時間Ｔに付加されていた時間データ４２３を与える。次に、表示モジュール処理部２３２は、Ｓ１１６でメッセージ“トリガー検知”に表示データ４２２が付加されているか否かを判断する。表示モジュール処理部２３２は、表示データ４２２が付加されていると判断し、Ｓ１１７で変数の表示内容Ｃに付加されていた表示データ４２２を与える。そして、表示モジュール処理部２３２は、Ｓ１１９で表示内容Ｃ及び表示時間Ｔを付加したメッセージ“表示スタート”を生成し、これを表示コアモジュール処理部２３４に通知し、処理を図６のＳ１０１に戻し、再びメッセージ待機の状態となる。
【００９１】
図８において、表示コアモジュール処理部２３４は、Ｓ２０１におけるメッセージ待機の状態で、メッセージの通知を受けると、Ｓ２０２で通知メッセージがメッセージ“表示スタート”であるか否かを判断する。通知メッセージがメッセージ“表示スタート”であるから、次に、表示モジュール処理部２３２は、Ｓ２０３で通知メッセージに表示時間Ｔのみが付加されているか否かを判断する。通知メッセージには表示内容Ｃ及び表示時間Ｔが付加されているから、次に、表示コアモジュール処理部２３４は、Ｓ２０４で表示内容Ｃを画像生成部１９に転送し、画像生成部１９に表示内容Ｃに基づく画像信号を生成させ、生成した画像信号を表示駆動部１２に出力させることによって表示部１１に表示内容Ｃを表示させる。こうして表示・時間通信信号３１のペイロード４２に収容されていた表示データ４２２が表示内容Ｃとして表示部１１に表示され始める。次に、表示コアモジュール処理部２３４は、Ｓ２０５で通知メッセージに付加されている表示時間Ｔをタイマ２３５にセットし、処理をＳ２０２に戻す。一方、タイマ２３５は、表示時間Ｔからカウントダウンを始める。
【００９２】
処理がＳ２０２に戻されると、表示コアモジュール処理部２３４は、再びＳ２０２を実行する。メッセージ“表示スタート”ではないので、表示コアモジュール処理部２３４は、Ｓ２０７でタイマ２３５が動作中であるか否かを判断する。表示コアモジュール処理部２３５は、タイマ２３５の動作が終了するまで処理をＳ２０２に戻し、動作が終了すると、表示コアモジュール処理部２３４は、Ｓ２０８で表示部１１に表示されている表示内容Ｃを消去する。そして、表示モジュール処理部２３４は、Ｓ２０９で電力調節部１７を用いて表示部１１、表示駆動部１２及び照明部１５が設けられている場合には照明部１５に供給する電力を削減又は停止させ、処理をＳ２０１に戻し（Ｓ２０９）、再びメッセージ待機の状態となる。
【００９３】
こうして表示・時間通信信号３１のペイロード４２に収容されていた表示内容Ｃは、この通信信号に収容されていた時間データ２４３の略時間だけ表示部１１に表示される。そして、時間データ２４３の略時間だけ表示されると、表示部１１、表示駆動部１２及び照明部１５が設けられている場合には照明部１５に供給される電力は、電力調節部１７によって削減又は停止される。このため、表示・時間通信信号３１によって画像表示装置１は、表示内容Ｃを必要な時間だけ表示部１１に表示させると共に、消費電力を節約する。このため、画像表示装置１が電池で駆動されている場合には、従来に較べてより長時間使用可能となる。
【００９４】
また、表示内容Ｃを必要な時間だけ表示するので、画像表示装置１がプラネタリウムの解説、映画の字幕表示及び現像室における機器の使用説明等の暗い環境を維持したい空間で使用される場合に、不要な光を減らすことができる。プラネタリウムの解説等に用いられる場合には、暗い環境が維持されるので、臨場感をさらに増すことができる。
【００９５】
次に、ＩＤ・時間通信信号３２が画像表示装置１に自機宛てで受信された場合における動作について説明する。
【００９６】
この場合には、画像表示装置１の記憶部２０には、図９（Ａ）に示すテーブルを予め記憶しておく必要がある。図９は、画像表示装置における記憶部の記憶内容を示す図である。図９（Ａ）は、画像表示装置１がＩＤ・時間通信信号を受信する場合における記憶部の記憶内容を示す図であり、図９（Ｂ）は、画像表示装置がＩＤ通信信号を受信する場合における記憶部の記憶内容を示す図である。記憶部２０には、図９（Ａ）に示すように、表示内容Ｃを表すデータである表示データ５２と当該表示データ５２を識別するための符号であるＩＤ５１との対応関係を示すＩＤ・表示対応テーブルが記憶される。
【００９７】
図４において、Ｓ１１における受信待機の状態でＩＤ・時間通信信号３２を受信すると、制御部２３のメイン処理部２３１は、Ｓ１２で自機宛ての通信信号であると判断し、Ｓ１３でトリガーデータ４２１の有無を判断する。ＩＤ・時間通信信号３２には、図３（Ｂ）に示すようにトリガーデータ４２１がペイロード４２に収容されているので、メイン処理部２３１は、Ｓ１５でＩＤ・時間通信信号３１のペイロード４２に収容されているデータをトリガー受信処理部２３２に通知する。
【００９８】
図５において、トリガー受信処理部２３２は、Ｓ２１で通知データを参照することによって受信通信信号が表示・時間通信信号３１であるか否かを判断する。トリガー受信処理部２３２は、表示・時間通信信号３１ではないのでＳ２３を実行し、Ｓ２３で受信通信信号がＩＤ・時間通信信号３２であると判断する。トリガー受信処理部２３２は、Ｓ２４で通知データからＩＤデータ４２４及び時間データ４２３を取り出し、ＩＤデータ４２４及び時間データ４２３を付加したメッセージ“トリガー検知”を生成し、これを表示モジュール処理部２３３に通知する。そして、トリガー受信処理部２３２は、処理をメイン処理部２３１に戻す。メイン処理部２３１は、処理をＳ１１に戻し、再び受信待機の状態となる。
【００９９】
図６において、表示モジュール処理部２３２は、Ｓ１０１におけるメッセージ待機の状態で、ＩＤデータ４２４及び時間データ４２３が付加されたメッセージ“トリガー検知”の通知を受けると、Ｓ１０２で通知メッセージがメッセージ“バッファ書き込み”であるか否かを判断する。表示モジュール処理部２３２は、メッセージ“バッファ書き込み”ではないと判断し、Ｓ１０４で通知メッセージがメッセージ“トリガー検知”であるか否かを判断する。表示モジュール処理部２３２は、メッセージ“トリガー検知”であると判断し、Ｓ１０５でトリガー検知処理を行う。
【０１００】
図７において、表示モジュール処理部２３２は、Ｓ１１１でメッセージ“トリガー検知”に時間データ４２３が付加されているか否かを判断する。表示モジュール処理部２３２は、時間データ４２３が付加されていると判断し、Ｓ１１３で変数の表示時間Ｔに付加されていた時間データ４２３を与える。次に、表示モジュール処理部２３２は、Ｓ１１６でメッセージ“トリガー検知”に表示データ４２２が付加されているか否かを判断する。表示モジュール処理部２３２は、表示データ４２２が付加されていないと判断し、Ｓ１１８でＩＤデータ４２４のＩＤ５１に基づいて記憶部２０のＩＤ・表示対応テーブルを検索し、ＩＤ５１に対応する表示データ５２を読み込む。例えば、ＩＤ５１が“ａ１”である場合には表示データ５２として“Ｃｏｎ１”が読み込まれ、ＩＤ５１が“ａ２”である場合には表示データ５２として“Ｃｏｎ２”が読み込まれる。そして、表示モジュール処理部２３２は、変数の表示内容Ｃにこの読み込んだ表示データ５２を与える。そして、表示モジュール処理部２３２は、Ｓ１１９で表示内容Ｃ及び表示時間Ｔを付加したメッセージ“表示スタート”を生成し、これを表示コアモジュール処理部２３４に通知し、処理を図６のＳ１０１に戻し、再びメッセージ待機の状態となる。
【０１０１】
図８において、表示コアモジュール処理部２３４は、Ｓ２０１におけるメッセージ待機の状態で、メッセージの通知を受けると、Ｓ２０２で通知メッセージがメッセージ“表示スタート”であるか否かを判断する。通知メッセージがメッセージ“表示スタート”であるから、次に、表示モジュール処理部２３２は、Ｓ２０３で通知メッセージに表示時間Ｔのみが付加されているか否かを判断する。通知メッセージには表示内容Ｃ及び表示時間Ｔが付加されているから、次に、表示コアモジュール処理部２３４は、Ｓ２０４で表示内容Ｃを画像生成部１９に転送し、画像生成部１９に表示内容Ｃに基づく画像信号を生成させ、生成した画像信号を表示駆動部１２に出力させることによって表示部１１に表示内容Ｃを表示させる。こうしてＩＤ・時間通信信号３２のペイロード４２に収容されていたＩＤデータ４２４に対応する記憶部２０の表示データ５２が表示内容Ｃとして表示部１１に表示され始める。次に、表示コアモジュール処理部２３４は、Ｓ２０５で通知メッセージに付加されている表示時間Ｔをタイマ２３５にセットし、処理をＳ２０２に戻す。一方、タイマ２３５は、表示時間Ｔからカウントダウンを始める。処理がＳ２０２に戻されると、表示コアモジュール処理部２３４は、再びＳ２０２を実行する。メッセージ“表示スタート”ではないので、表示コアモジュール処理部２３４は、Ｓ２０７でタイマ２３５が動作中であるか否かを判断する。表示コアモジュール処理部２３５は、タイマ２３５の動作が終了するまで処理をＳ２０２に戻し、動作が終了すると、表示コアモジュール処理部２３４は、Ｓ２０８で表示部１１に表示されている表示内容Ｃを消去する。そして、表示モジュール処理部２３４は、Ｓ２０９で電力調節部１７を用いて表示部１１、表示駆動部１２及び照明部１５が設けられている場合には照明部１５に供給する電力を削減又は停止させ、処理をＳ２０１に戻し（Ｓ２０９）、再びメッセージ待機の状態となる。
【０１０２】
こうしてＩＤ・時間通信信号３２のペイロード４２に収容されていたＩＤデータ４２４に対応する記憶部２０における表示データ５２の表示内容Ｃは、この通信信号に収容されていた時間データ２４３の略時間だけ表示部１１に表示される。そして、時間データ２４３の略時間だけ表示されると、表示部１１、表示駆動部１２及び照明部１５が設けられている場合には照明部１５に供給される電力は、電力調節部１７によって削減又は停止される。このため、ＩＤ・時間通信信号３２によって画像表示装置１は、表示内容Ｃを必要な時間だけ表示部１１に表示させると共に、消費電力を節約する。そして、ＩＤ・時間通信信号３２には、表示データよりデータ容量の少ないＩＤデータが収容されるので、ＩＤ・時間通信信号のデータ容量を少なくすることができる。このため、占有無線帯域を減らすことができ、他の通信の無線帯域と間隔を空けることができるので、他の通信とのクロストーク等を減少することができる。
【０１０３】
次に、ＩＤ通信信号３３が画像表示装置１に自機宛てで受信された場合における動作について説明する。
【０１０４】
この場合には、画像表示装置１の記憶部２０には、図９（Ｂ）に示すテーブルを予め記憶しておく必要がある。記憶部２０には、表示データ５２と表示時間Ｔを表すデータである時間データ５３と当該表示データ５２及び時間データ５３を識別するための符号であるＩＤ５１との対応関係を示すＩＤ・表示・時間対応テーブルが記憶される。
【０１０５】
図４において、Ｓ１１における受信待機の状態でＩＤ通信信号３３を受信すると、制御部２３のメイン処理部２３１は、Ｓ１２で自機宛ての通信信号であると判断し、Ｓ１３でトリガーデータ４２１の有無を判断する。ＩＤ通信信号３３には、図３（Ｃ）に示すようにトリガーデータ４２１がペイロード４２に収容されているので、メイン処理部２３１は、Ｓ１５でＩＤ通信信号３３のペイロード４２に収容されているデータをトリガー受信処理部２３２に通知する。
【０１０６】
図５において、トリガー受信処理部２３２は、Ｓ２１で通知データを参照することによって受信通信信号が表示・時間通信信号３１であるか否かを判断する。トリガー受信処理部２３２は、表示・時間通信信号３１ではないのでＳ２３を実行し、Ｓ２３で受信通信信号がＩＤ・時間通信信号３２であるか否かを判断する。トリガー受信処理部２３２は、ＩＤ・時間通信信号３２ではないのでＳ２５を実行し、Ｓ２５で受信通信信号がＩＤ通信信号３３であると判断する。トリガー受信処理部２３２は、Ｓ２６で通知データからＩＤデータ４２４を取り出し、ＩＤデータ４２４を付加したメッセージ“トリガー検知”を生成し、これを表示モジュール処理部２３３に通知する。そして、トリガー受信処理部２３２は、処理をメイン処理部２３１に戻す。メイン処理部２３１は、処理をＳ１１に戻し、再び受信待機の状態となる。
【０１０７】
図６において、表示モジュール処理部２３２は、Ｓ１０１におけるメッセージ待機の状態で、ＩＤデータ４２４が付加されたメッセージ“トリガー検知”の通知を受けると、Ｓ１０２で通知メッセージがメッセージ“バッファ書き込み”であるか否かを判断する。表示モジュール処理部２３２は、メッセージ“バッファ書き込み”ではないと判断し、Ｓ１０４で通知メッセージがメッセージ“トリガー検知”であるか否かを判断する。表示モジュール処理部２３２は、メッセージ“トリガー検知”であると判断し、Ｓ１０５でトリガー検知処理を行う。
【０１０８】
図７において、表示モジュール処理部２３２は、Ｓ１１１でメッセージ“トリガー検知”に時間データ４２３が付加されているか否かを判断する。表示モジュール処理部２３２は、時間データ４２３が付加されていないと判断し、Ｓ１１２で記憶部２０に時間データ５３が記憶されているか否かを判断する。表示モジュール処理部２３２は、時間データ５３が記憶されていると判断し、Ｓ１１４でＩＤデータ４２４のＩＤ５１に基づいて記憶部２０のＩＤ・表示・時間対応テーブルを検索し、ＩＤ５１に対応する時間データ５３を読み込む。例えば、ＩＤ５１が“ａ１”である場合には時間データ５３として“Ｔｉｍ１”が読み込まれ、ＩＤ５１が“ａ２”である場合には時間データ５３として“Ｔｉｍ２”が読み込まれる。そして、表示モジュール処理部２３２は、変数の表示時間Ｔにこの読み込んだ時間データ５３を与える。次に、表示モジュール処理部２３２は、Ｓ１１６でメッセージ“トリガー検知”に表示データ４２２が付加されているか否かを判断する。表示モジュール処理部２３２は、表示データ４２２が付加されていないと判断し、Ｓ１１８でＩＤデータ４２４のＩＤ５１に基づいて記憶部２０のＩＤ・表示対応テーブルを検索し、ＩＤ５１に対応する表示データ５２を読み込む。例えば、ＩＤ５１が“ａ１”である場合には表示データ５２として“Ｃｏｎ１”が読み込まれ、ＩＤ５１が“ａ２”である場合には表示データ５２として“Ｃｏｎ２”が読み込まれる。そして、表示モジュール処理部２３２は、変数の表示内容Ｃにこの読み込んだ表示データ５２を与える。そして、表示モジュール処理部２３２は、Ｓ１１９で表示内容Ｃ及び表示時間Ｔを付加したメッセージ“表示スタート”を生成し、これを表示コアモジュール処理部２３４に通知し、処理を図６のＳ１０１に戻し、再びメッセージ待機の状態となる。
【０１０９】
図８において、表示コアモジュール処理部２３４は、Ｓ２０１におけるメッセージ待機の状態で、メッセージの通知を受けると、Ｓ２０２で通知メッセージがメッセージ“表示スタート”であるか否かを判断する。通知メッセージがメッセージ“表示スタート”であるから、次に、表示モジュール処理部２３２は、Ｓ２０３で通知メッセージに表示時間Ｔのみが付加されているか否かを判断する。通知メッセージには表示内容Ｃ及び表示時間Ｔが付加されているから、次に、表示コアモジュール処理部２３４は、Ｓ２０４で表示内容Ｃを画像生成部１９に転送し、画像生成部１９に表示内容Ｃに基づく画像信号を生成させ、生成した画像信号を表示駆動部１２に出力させることによって表示部１１に表示内容Ｃを表示させる。こうしてＩＤ通信信号３３のペイロード４２に収容されていたＩＤデータ４２４に対応する記憶部２０の表示データ５２が表示内容Ｃとして表示部１１に表示され始める。次に、表示コアモジュール処理部２３４は、Ｓ２０５で通知メッセージに付加されている表示時間Ｔをタイマ２３５にセットし、処理をＳ２０２に戻す。一方、タイマ２３５は、表示時間Ｔからカウントダウンを始める。処理がＳ２０２に戻されると、表示コアモジュール処理部２３４は、再びＳ２０２を実行する。メッセージ“表示スタート”ではないので、表示コアモジュール処理部２３４は、Ｓ２０７でタイマ２３５が動作中であるか否かを判断する。表示コアモジュール処理部２３５は、タイマ２３５の動作が終了するまで処理をＳ２０２に戻し、動作が終了すると、表示コアモジュール処理部２３４は、Ｓ２０８で表示部１１に表示されている表示内容Ｃを消去する。そして、表示モジュール処理部２３４は、Ｓ２０９で電力調節部１７を用いて表示部１１、表示駆動部１２及び照明部１５が設けられている場合には照明部１５に供給する電力を削減又は停止させ、処理をＳ２０１に戻し（Ｓ２０９）、再びメッセージ待機の状態となる。
【０１１０】
こうしてＩＤ通信信号３３のペイロード４２に収容されていたＩＤデータ４２４に対応する記憶部２０における表示データ５２の表示内容Ｃは、このＩＤデータ４２４に対応する記憶部２０における時間データ５３の略時間だけ表示部１１に表示される。そして、時間データ５３の略時間だけ表示されると、表示部１１、表示駆動部１２及び照明部１５が設けられている場合には照明部１５に供給される電力は、電力調節部１７によって削減又は停止される。このため、ＩＤ通信信号３３によって画像表示装置１は、表示内容Ｃを必要な時間だけ表示部１１に表示させると共に、消費電力を節約する。そして、ＩＤ・時間通信信号３２には、表示データや時間データよりデータ容量の少ないＩＤデータが収容されるので、ＩＤ通信信号のデータ容量をさらに少なくすることができる。このため、占有無線帯域をさらに減らすことができ、他の通信の無線帯域と間隔をより空けることができるので、他の通信とのクロストーク等を減少することができる。
【０１１１】
次に、表示通信信号３４及び時間通信信号３５が画像表示装置１に自機宛てで受信された場合における動作について説明する。表示内容Ｃを表す表示データ４２２と、表示時間Ｔを示す時間データ４２３とを別々の通信信号によって画像表示装置１が受信することにより、表示時間の制御や電力調節の制御をより柔軟に制御することができる。まず、表示通信信号３４が画像表示装置１に自機宛てで受信された場合における動作について説明する。
【０１１２】
図４において、Ｓ１１における受信待機の状態で表示通信信号３４を受信すると、制御部２３のメイン処理部２３１は、Ｓ１２で自機宛ての通信信号であると判断し、Ｓ１３でトリガーデータ４２１の有無を判断する。表示通信信号３４には、図３（Ｄ）に示すようにトリガーデータ４２１がペイロード４２に収容されているので、メイン処理部２３１は、Ｓ１５でＩＤ通信信号３３のペイロード４２に収容されているデータをトリガー受信処理部２３２に通知する。
【０１１３】
図５において、トリガー受信処理部２３２は、Ｓ２１で通知データを参照することによって受信通信信号が表示・時間通信信号３１であるか否かを判断する。トリガー受信処理部２３２は、表示・時間通信信号３１ではないのでＳ２３を実行し、Ｓ２３で受信通信信号がＩＤ・時間通信信号３２であるか否かを判断する。トリガー受信処理部２３２は、ＩＤ・時間通信信号３２ではないのでＳ２５を実行し、Ｓ２５で受信通信信号がＩＤ通信信号３３であるか否かを判断する。トリガー受信処理部２３２は、ＩＤ通信信号３３ではないのでＳ２７を実行し、Ｓ２７で受信通信信号が表示通信信号３４であると判断する。トリガー受信処理部２３２は、Ｓ２８で通知データから表示データ４２２を取り出し、表示データ４２２を付加したメッセージ“トリガー検知”を生成し、これを表示モジュール処理部２３３に通知する。そして、トリガー受信処理部２３２は、処理をメイン処理部２３１に戻す。メイン処理部２３１は、処理をＳ１１に戻し、再び受信待機の状態となる。
【０１１４】
図６において、表示モジュール処理部２３２は、Ｓ１０１におけるメッセージ待機の状態で、表示データ４２２が付加されたメッセージ“トリガー検知”の通知を受けると、Ｓ１０２で通知メッセージがメッセージ“バッファ書き込み”であるか否かを判断する。表示モジュール処理部２３２は、メッセージ“バッファ書き込み”ではないと判断し、Ｓ１０４で通知メッセージがメッセージ“トリガー検知”であるか否かを判断する。表示モジュール処理部２３２は、メッセージ“トリガー検知”であると判断し、Ｓ１０５でトリガー検知処理を行う。
【０１１５】
図７において、表示モジュール処理部２３２は、Ｓ１１１でメッセージ“トリガー検知”に時間データ４２３が付加されているか否かを判断する。表示モジュール処理部２３２は、時間データ４２３が付加されていないと判断し、Ｓ１１２で記憶部２０に時間データ５３が記憶されているか否かを判断する。表示モジュール処理部２３２は、時間データ５３が記憶されていないと判断し、Ｓ１１５で変数の表示時間Ｔに無限大の時間を与える。次に、表示モジュール処理部２３２は、Ｓ１１６でメッセージ“トリガー検知”に表示データ４２２が付加されているか否かを判断する。表示モジュール処理部２３２は、表示データ４２２が付加されていると判断し、Ｓ１１７で変数の表示内容Ｃに付加されていた表示データ４２２を与える。そして、表示モジュール処理部２３２は、Ｓ１１９で表示内容Ｃ及び表示時間Ｔを付加したメッセージ“表示スタート”を生成し、これを表示コアモジュール処理部２３４に通知し、処理を図６のＳ１０１に戻し、再びメッセージ待機の状態となる。
【０１１６】
図８において、表示コアモジュール処理部２３４は、Ｓ２０１におけるメッセージ待機の状態で、メッセージの通知を受けると、Ｓ２０２で通知メッセージがメッセージ“表示スタート”であるか否かを判断する。通知メッセージがメッセージ“表示スタート”であるから、次に、表示モジュール処理部２３２は、Ｓ２０３で通知メッセージに表示時間Ｔのみが付加されているか否かを判断する。通知メッセージには表示内容Ｃ及び表示時間Ｔが付加されているから、次に、表示コアモジュール処理部２３４は、Ｓ２０４で表示内容Ｃを画像生成部１９に転送し、画像生成部１９に表示内容Ｃに基づく画像信号を生成させ、生成した画像信号を表示駆動部１２に出力させることによって表示部１１に表示内容Ｃを表示させる。こうして表示通信信号３４のペイロード４２に収容されていた表示データ４２２が表示内容Ｃとして表示部１１に表示され始める。次に、表示コアモジュール処理部２３４は、Ｓ２０５で通知メッセージに付加されている表示時間Ｔをタイマ２３５にセットし、処理をＳ２０２に戻す。一方、タイマ２３５は、表示時間Ｔからカウントダウンを始める。処理がＳ２０２に戻されると、表示コアモジュール処理部２３４は、再びＳ２０２を実行する。メッセージ“表示スタート”ではないので、表示コアモジュール処理部２３４は、Ｓ２０７でタイマ２３５が動作中であるか否かを判断する。表示コアモジュール処理部２３５は、タイマ２３５の動作が終了するまで処理をＳ２０２に戻す。
【０１１７】
上述したように、表示通信信号３４が受信されると表示時間Ｔに無限大の時間が与えられえるから、表示コアモジュール処理部２３５は、Ｓ２０２及びＳ２０７の処理を繰り返すこととなる。
【０１１８】
このような状態において、時間通信信号３５が画像表示装置１に自機宛てで受信された場合における動作について説明する。時間通信信号３５には、残り表示時間が時間データとして収容される。
【０１１９】
図４において、Ｓ１１における受信待機の状態で時間通信信号３５を受信すると、制御部２３のメイン処理部２３１は、Ｓ１２で自機宛ての通信信号であると判断し、Ｓ１３でトリガーデータ４２１の有無を判断する。時間通信信号３５には、図３（Ｅ）に示すようにトリガーデータ４２１がペイロード４２に収容されていないので、メイン処理部２３１は、Ｓ１４で受信通信信号のペイロード４２に時間データ４２３のみが収容されているか否かを判断する。時間通信信号３５には、時間データ４２３のみを収容するので、メイン処理部２３１は、時間データ４２３を付加したメッセージ“表示時間制御”を生成し、これを表示モジュール処理部２３３に通知する。そして、メイン処理部２３１は、処理をＳ１１に戻す。
【０１２０】
図６において、表示モジュール処理部２３２は、Ｓ１０１におけるメッセージ待機の状態で、時間データ４２３が付加されたメッセージ“表示時間制御”の通知を受けると、Ｓ１０２で通知メッセージがメッセージ“バッファ書き込み”であるか否かを判断する。表示モジュール処理部２３２は、メッセージ“バッファ書き込み”ではないと判断し、Ｓ１０４で通知メッセージがメッセージ“トリガー検知”であるか否かを判断する。表示モジュール処理部２３２は、メッセージ“トリガー検知”ではないと判断し、Ｓ１０６で通知メッセージがメッセージ“表示時間制御”であるか否かを判断する。表示モジュール処理部２３２は、メッセージ“表示時間制御”であると判断し、変数の表示時間Ｔに時間データ４２３を与え、表示時間Ｔを付加したメッセージ“表示スタート”を生成し、これを表示コアモジュール処理部２３４に通知する。
【０１２１】
図８において、表示コアモジュール処理部２３４は、Ｓ２０１におけるメッセージ待機の状態で、メッセージの通知を受けると、Ｓ２０２で通知メッセージがメッセージ“表示スタート”であるか否かを判断する。通知メッセージがメッセージ“表示スタート”であるから、次に、表示モジュール処理部２３２は、Ｓ２０３で通知メッセージに表示時間Ｔのみが付加されているか否かを判断する。通知メッセージには表示時間Ｔのみが付加されているから、次に、表示コアモジュール処理部２３４は、Ｓ２０６でタイマ２３５が作動中であるか否かを判断する。タイマ２３５が作動中であるから、表示コアモジュール処理部２３４は、Ｓ２０５で通知メッセージに付加されている表示時間Ｔをタイマ２３５にセットし、処理をＳ２０２に戻す。タイマ２３５は、表示時間Ｔで再セットされ、この再セットされた表示時間Ｔからカウントダウンを始める。
【０１２２】
処理がＳ２０２に戻されると、表示コアモジュール処理部２３４は、再びＳ２０２を実行する。メッセージ“表示スタート”ではないので、表示コアモジュール処理部２３４は、Ｓ２０７でタイマ２３５が動作中であるか否かを判断する。表示コアモジュール処理部２３５は、タイマ２３５の動作が終了するまで処理をＳ２０２に戻し、動作が終了すると、表示コアモジュール処理部２３４は、Ｓ２０８で表示部１１に表示されている表示内容Ｃを消去する。そして、表示モジュール処理部２３４は、Ｓ２０９で電力調節部１７を用いて表示部１１、表示駆動部１２及び照明部１５が設けられている場合には照明部１５に供給する電力を削減又は停止させ、処理をＳ２０１に戻し（Ｓ２０９）、再びメッセージ待機の状態となる。
【０１２３】
こうして画像表示装置１の表示部１１に表示されていた表示内容Ｃは、時間通信信号３５のペイロード４２に収容されていた時間データ４２３の略時間だけさらに表示部１１に表示される。そして、時間データ２４３の略時間だけさらに表示されると、表示部１１、表示駆動部１２及び照明部１５が設けられている場合には照明部１５に供給される電力は、電力調節部１７によって削減又は停止される。このため、時間通信信号３５によって画像表示装置１は、表示内容Ｃを必要な時間だけ表示部１１にさらに表示させると共に、消費電力を節約する。
【０１２４】
このように表示内容Ｃを表す表示データ４２２と、表示時間Ｔを示す時間データ４２３とを別々の通信信号によって画像表示装置１が受信することにより、表示時間の制御や電力調節の制御をより柔軟に制御することができる。
【０１２５】
また、表示データを時間データと共に記憶部２０に記憶するので、画像表示制御装置６と画像表示装置１との接続が途切れ再接続した場合でも、表示データと時間データとを容易に同期させることができる。
【０１２６】
ここで、以上の説明における実施形態では、図６に示すＳ１０２及びＳ１０３の処理は、不要であるので、省略してもよい。次に、この図６に示すＳ１０２及びＳ１０３の処理が実行される変形形態について説明する。
【０１２７】
上述の実施形態の変形形態に係る画像表示装置は、表示部１１に表示内容Ｃを表示している間や表示を休止している間（節電中）に表示データ４２２、時間データ４２３及びＩＤデータ４２４を受信し、記憶部２０に記憶しておく実施形態である。
【０１２８】
よって、この変形形態の画像表示装置は、記憶部２０に表示データ４２２、時間データ４２３及びＩＤデータ４２４を記憶しておく記憶領域がバッファ領域として確保されている点とメイン処理部２３１が実行する制御プログラムのメインプログラムが図４に示すメインプログラムと異なる点とを除き、上述と同様であるので、その説明を省略する。なお、この変形形態における画像表示装置を画像表示装置１’と、記憶部を記憶部２０’と、制御部を制御部２３’と、そして、メイン処理部をメイン処理部２３１’とする。
【０１２９】
図１０は、変形形態の制御プログラムにおけるメインプログラムのフローチャートを示す図である。
【０１３０】
図１０において、制御部２３’は、例えば、画像表示装置１’のメイン電源がオンされると記憶部２０’に格納されている制御プログラムを読み込み、制御部２３’のメイン処理部２３１は、制御プログラムのメインプログラムを実行し、アンテナ１４及び通信部１３を介して通信信号が受信されるまで待つ受信待機の状態となる（Ｓ５１）。メイン処理部２３１’は、この受信待機の状態において、アンテナ１４及び通信部１３を介して通信信号が受信されると、この受信した受信通信信号が自機宛ての通信信号か否かを判断する（Ｓ５２）。
【０１３１】
判断の結果、その受信通信信号が自機宛ての通信信号ではない場合（Ｎｏ）には、メイン処理部２３１’は、受信通信信号を破棄して処理をＳ５１に戻し、再び受信待機の状態となる。一方、判断の結果、その受信通信信号が自機宛ての通信信号である場合（Ｙｅｓ）には、メイン処理部２３１’は、その受信通信信号が表示・時間・ＩＤ通信信号３６か否かを判断する（Ｓ５３）。
【０１３２】
判断の結果、表示・時間・ＩＤ通信信号３６ではない場合（Ｎｏ）には、メイン処理部２３１’は、処理Ｓ５４を実行する。一方、判断の結果、表示・時間・ＩＤ通信信号３６である場合（Ｙｅｓ）には、メイン処理部２３１’は、受信通信信号から表示データ４２２、時間データ４２３及びＩＤデータ４２４を取り出し、表示データ４２、時間データ４２３及びＩＤデータ４２４を付加したメッセージ“バッファ書き込み”を生成し、これを表示モジュール処理部２３３に通知する。そして、メイン処理部２３１’は、処理をＳ５１に戻し（Ｓ５５）、再び受信待機の状態となる。
【０１３３】
Ｓ５４において、メイン処理部２３１’は、その受信通信信号がＩＤ通信信号３３か否かを判断する（Ｓ５４）。判断の結果、ＩＤ通信信号３３ではない場合（Ｎｏ）には、メイン処理部２３１’は、処理をＳ５１に戻し、再び受信待機の状態となる。一方、判断の結果、ＩＤ通信信号３６である場合（Ｙｅｓ）には、メイン処理部２３１’は、受信通信信号からＩＤデータ４２４を取り出し、ＩＤデータ４２４を付加したメッセージ“トリガー検知”を生成し、これを表示モジュール処理部２３３に通知する。そして、メイン処理部２３１’は、処理をＳ５１に戻し（Ｓ５６）、再び受信待機の状態となる。
【０１３４】
この変形形態の画像表示装置１’では、通信信号として表示・時間・ＩＤ通信信号３６とＩＤ通信信号３３が受信され得る。まず、表示・時間・ＩＤ通信信号３６が画像表示装置１’に自機宛てで受信された場合における動作について説明する。
【０１３５】
図１０において、Ｓ５１における受信待機の状態で表示・時間・ＩＤ通信信号３６を受信すると、制御部２３’のメイン処理部２３１’は、Ｓ５２で自機宛ての通信信号であると判断し、Ｓ５３で受信通信信号が表示・時間・ＩＤ通信信号３６であるか否かを判断する。メイン処理部２３１’は、表示・時間・ＩＤ通信信号３６であると判断し、Ｓ５５でメイン処理部２３１’は、受信通信信号から表示データ４２２、時間データ４２３及びＩＤデータ４２４を取り出し、表示データ４２、時間データ４２３及びＩＤデータ４２４を付加したメッセージ“バッファ書き込み”を生成し、これを表示モジュール処理部２３３に通知する。そして、メイン処理部２３１’は、処理をＳ５１に戻し（Ｓ５５）、再び受信待機の状態となる。
【０１３６】
図６において、表示モジュール処理部２３２は、Ｓ１０１におけるメッセージ待機の状態で、表示データ４２２、時間データ４２３及びＩＤデータ４２４が付加されたメッセージ“バッファ書き込み”の通知を受けると、Ｓ１０２で通知メッセージがメッセージ“バッファ書き込み”であると判断する。表示モジュール処理部２３２は、メッセージ“バッファ書き込み”に付加された表示データ４２２及び時間データ４２３をＩＤデータ４２４に対応付けて記憶部２０’のバッファ領域に記憶する。例えば、図９（Ｂ）を用いて上述したように、表示モジュール処理部２３２は、ＩＤ・表示・時間対応テーブルとして記憶する。そして、表示モジュール処理部２３３は、処理をＳ１０１に戻し、再びメッセージ待機の状態となる（Ｓ１０３）。
【０１３７】
このように記憶部２０’のバッファ領域に表示データ２４２及び時間データ２４３がＩＤデータ２４４に対応付けられて記憶されている場合に、ＩＤ通信信号３３が画像表示装置１’に自機宛てで受信された場合における動作について説明する。
【０１３８】
図１０において、Ｓ５１における受信待機の状態でＩＤ通信信号３３を受信すると、制御部２３’のメイン処理部２３１’は、Ｓ５２で自機宛ての通信信号であると判断し、Ｓ５３で受信通信信号が表示・時間・ＩＤ通信信号３６であるか否かを判断する。メイン処理部２３１’は、表示・時間・ＩＤ通信信号３６ではないと判断し、メイン処理部２３１’は、Ｓ５４受信通信信号がＩＤ通信信号３３であるか否かを判断する。メイン処理部２３１’は、ＩＤ通信信号３３であると判断し、Ｓ５６で受信通信信号からＩＤデータ４２４を取り出し、ＩＤデータ４２４を付加したメッセージ“トリガー検知”を生成し、これを表示モジュール処理部２３３に通知する。そして、メイン処理部２３１’は、処理をＳ５１に戻し（Ｓ５５）、再び受信待機の状態となる。
【０１３９】
以下、表示モジュール処理部２３３及び表示コアモジュール２３４の動作は、ＩＤ通信信号３３を受信した場合において、図６乃至図８を用いて説明した動作と同様であるので、その説明を省略する。
【０１４０】
このように動作するので、変形形態の画像表示装置１’は、表示部１１に表示内容Ｃを表示している間や表示を休止している間（節電中）に表示データ４２２、時間データ４２３及びＩＤデータ４２４を受信し、記憶部２０に記憶しておくことができる。そして、ＩＤ通信信号３３を受信した場合に、画像表示装置１’は、このように予め記憶部２０に記憶した表示データ４２２及び時間データ４２３を用いて表示部１１に表示データ４２２に係る表示内容Ｃを時間データ４２３に係る略時間だけ表示することができる。このため、画像表示装置１’は、ユーザに対して適切なタイミングで表示内容Ｃを表示することができ、途切れることなく順次に表示内容Ｃを変えて表示部１１に表示することができる。
【０１４１】
上述の画像表示装置１、１’は、サブノードパーソナルコンピュータ、ＰＤＡ、頭部に装着するための頭部装着部材と表示部に表示された画像を拡大する拡大光学系とを備えた頭部搭載型ディスプレイ等に実装可能である。頭部搭載型ディスプレイ及びメガネ型ディスプレイは、サブノートパーソナルコンピュータやＰＤＡに較べて両手が自由となるので利便性が向上する。また、頭部搭載型ディスプレイには、ゴーグル型とメガネ型とがあるが、拡大光学系が部分的に透過光学素子を含むようにすると、実視野に重畳して画像を虚像として観察することができ、視界が遮られることがないので、さらに利便性が向上する。このような透過光学素子を含むメガネ型ディスプレイに上述の画像表示装置１、１’が実装された場合について次に説明する。
【０１４２】
図１１は、メガネ型ディスプレイに実装された画像表示装置の斜視図である。図１２は、メガネ型ディスプレイに実装された画像表示装置の図１１におけるＡ矢方向から見たＡＡ’断面図である。
【０１４３】
図１１及び図１２において、メガネ型ディスプレイに実装された画像表示装置２は、左右一対のメガネレンズ２０３、２０４と、これらメガネレンズ２０３、２０４間に架設されたブリッジ２０８と、右のメガネレンズ２０３の一方側部に取り付けられた右テンプル２０５Ｒと、右のメガネレンズ２０３の他方側部に取り付けられた右ノーズパッド２０６Ｒと、左のメガネレンズ２０４の一方側部に取り付けられた左テンプル２０５Ｌと、左のメガネレンズ２０４の他方側部に取り付けられた左ノーズパッド２０６Ｌと、右のメガネレンズ２０３の上方側部に取り付けられた画像形成部２０１と、画像形成部２０１から右のメガネレンズ２０４内の一部分に形成されたプリズム２０２と、不図示の画像表示装置本体と、画像形成部２０１と画像表示装置本体との間を接続するケーブル２０７とを備えて構成される。メガネレンズ２０３、２０４は、使用者の視力に合わせた度のレンズが通常使用されるが、度が無い場合もある。
【０１４４】
画像形成部２０１内には、図２の照明部１５に相当する照明光源２１１と、図２の表示部１１に相当する透過型液晶表示素子２１０と、照明光源２１１の光を透過型液晶表示素子２１０に拡大投射する照明光学系２１２と、図２の表示駆動部１２に相当する透過型液晶表示素子駆動部（不図示）が内蔵される。画像表示装置本体は、図２に示す通信部１３、アンテナ１４、周辺機器Ｉ／Ｆ部１６、電力調整部１７、入力部１８、画像生成部１９、記憶部２０、電源部２１、バス２２、制御部２３が内蔵される。画像表示装置本体と画像形成部２０１との間は、ケーブル２０７によって信号が送受信される。
【０１４５】
照明光源２１１からの光は、照明光学系２１２で透過型液晶表示素子２１０に拡大投射され、画像光となる。この画像光は、プリズム２０２内を全反射しながら進み、プリズム２１２に保持されたホログラム素子２０２ａにより虚像が形成される。形成された虚像は、観察瞳９で観察される。
【０１４６】
また、この画像表示装置２は、左右一対のテンプル２０５Ｒ、２０５Ｒ及び左右一対のノーズパッド２０６Ｒ、２０６Ｌから頭部装着部材が構成され、これらにより使用者に装着され、使用者の眼前に保持される。
【０１４７】
このようなメガネ型ディスプレイに実装された画像表示装置２は、視界の一部分に虚像の画像が形成されるので、虚像の画像を観察しながら実視野として外界を見ることができる。そして、上述の通信信号を受信することによって、画像表示装置２は、表示内容Ｃを必要な時間だけ表示させると共に、消費電力を節約することができる。
【０１４８】
以上、本明細書に開示された主な発明を以下にまとめる。
（付記１）  通信信号を受信する通信部と、画像を表示する表示部と、前記表示部で表示する画像に係る画像信号を生成する画像生成部と、前記画像が表示されるように前記表示部を前記画像信号に基づいて駆動する表示駆動部と、前記表示部及び前記表示駆動部に供給される電力を調節する電力調節部と、前記表示部に表示される内容に関する第１データ及び前記電力調節部を制御する第２データを収容する通信信号を前記通信部で受信した場合に、該第１データに応じて前記表示部に画像を表示させると共に、該第２データに基づいて前記電力調整部に供給電力を削減又は停止させる制御部とを備えることを特徴とする携行可能な画像表示装置。
【０１４９】
（付記２）  前記第１データは、前記表示部に表示される内容を表すデータである表示データであり、前記第２データは、表示開始を指示するデータであるトリガーデータ及び表示している時間を表す時間データであり、前記制御部は、前記表示データを前記画像生成部に出力して前記表示部に該表示データに基づく画像を該トリガーデータに応じて前記電力調節部に通常の電力供給を開始させることによって表示開始させると共に、該時間データに基づく時間の経過後に前記電力調節部に供給電力を削減又は停止させることを特徴とする付記１に記載の携行可能な画像表示装置。
【０１５０】
（付記３）  前記表示部に表示される内容を表すデータである表示データに該表示データを識別するための符号であるＩＤデータを対応づけて記憶する記憶部をさらに備え、前記第１データは、前記ＩＤデータであり、前記第２データは、表示開始を指示するデータであるトリガーデータ及び表示している時間を表す時間データであり、前記制御部は、前記記憶部から前記通信信号に収容されたＩＤデータに対応する表示データを読み出して、該読み出した表示データを前記画像生成部に出力して前記表示部に該表示データに基づく画像を該トリガーデータに応じて前記電力調節部に通常の電力供給を開始させることによって表示開始させると共に、該時間データに基づく時間の経過後に前記電力調節部に供給電力を削減又は停止させることを特徴とする付記１に記載の携行可能な画像表示装置。
【０１５１】
（付記４）  前記表示部に表示される内容を表すデータである表示データ及び表示している時間を表す時間データに該表示データ及び該時間データを識別するための符号であるＩＤデータを対応づけて記憶する記憶部をさらに備え、前記第１データは、前記ＩＤデータであり、前記第２データは、表示開始を指示するデータであるトリガーデータであり、前記制御部は、前記記憶部から前記通信信号に収容されたＩＤデータに対応する表示データ及び時間データを読み出して、該読み出した表示データを前記画像生成部に出力して前記表示部に該表示データに基づく画像を該トリガーデータに応じて前記電力調節部に通常の電力供給を開始させることによって表示開始させると共に、該読み出した時間データに基づく時間の経過後に前記電力調節部に供給電力を削減又は停止させることを特徴とする付記１に記載の携行可能な画像表示装置。
【０１５２】
（付記５）  前記第１データは、前記表示部に表示される内容を表すデータである表示データであり、前記第２データは、表示開始を指示するデータであるトリガーデータ及び表示している時間を表す時間データであり、前記通信信号は、前記トリガーデータ及び前記表示データを収容する第１通信信号、及び、前記時間データを収容する第２通信信号に分かれて受信され、前記制御部は、前記第１通信信号を受信した場合に、前記表示データを前記画像生成部に出力して前記表示部に該表示データに基づく画像を該トリガーデータに応じて前記電力調節部に通常の電力供給を開始させることによって表示開始させると共に、前記第２通信信号を受信した場合に、該時間データに基づく時間の経過後に前記電力調節部に供給電力を削減又は停止させることを特徴とする付記１に記載の携行可能な画像表示装置。
【０１５３】
（付記６）  データを記憶する記憶部をさらに備え、
前記第１データは、前記表示部に表示される内容を表すデータである表示データであり、
前記第２データは、表示開始を指示するデータであるトリガーデータ及び表示している時間を表す時間データであり、
前記通信信号は、前記表示データと前記時間データとを識別するための符号であるＩＤデータ、前記表示データ及び前記時間データを収容する第１通信信号、及び、前記トリガーデータ及び前記ＩＤデータを収容する第２通信信号に分かれて受信され、
前記制御部は、前記第１通信信号を受信した場合に、収容されている表示データ及び時間データを前記ＩＤデータと対応づけて前記記憶部に記憶させ、前記第２通信信号を受信した場合に、前記記憶部から前記第２通信信号に収容されたＩＤデータに対応する表示データ及び時間データを読み出して、該読み出した表示データを前記画像生成部に出力して前記表示部に該表示データに基づく画像を該トリガーデータに応じて前記電力調節部に通常の電力供給を開始させることによって表示開始させると共に、該読み出した時間データに基づく時間の経過後に前記電力調節部に供給電力を削減又は停止させることを特徴とする付記１に記載の携行可能な画像表示装置。
【０１５４】
（付記７）  前記表示部は、液晶表示素子であって、該液晶表示素子を照明する照明部をさらに備え、前記電力調節部は、さらに前記照明部に供給される電力を調節することを特徴とする付記１乃至付記６の何れか１に記載の携行可能な画像表示装置。
【０１５５】
（付記８）  頭部に装着するための頭部装着部材と、画像を表示部に表示する携行可能な画像表示装置と、前記表示部に表示された画像を導く光学系とを備えた頭部搭載型ディスプレイにおいて、
前記携行可能な画像表示装置は、付記１乃至付記７の何れか１に記載の携行可能な画像表示装置であること
を特徴とする頭部搭載型ディスプレイ。
【０１５６】
（付記９）  前記光学系によって導かれた画像が形成される部材は、実視野と虚像とを重畳可能であること
を特徴とする付記８に記載の頭部搭載型ディスプレイ。
【０１５７】
【発明の効果】
上述したように、本発明に係る携行可能な画像表示装置では、制御部は、第１データ（表示データ）及び第２データ（トリガーデータ又は時間データ）を収容する通信信号を通信部で受信した場合に、この第１データに応じて表示駆動部を用いて表示部に画像を表示させると共に、この第２データに基づいて電力調整部に供給電力を削減又は停止させる。このため、この画像表示装置は、第１データに係る表示内容を電力調整部が供給電力を調整することによって適切なタイミングで表示部に表示を開始し得ると共に表示を終了し得る。そして、表示部及び表示駆動部の消費電力を削減することができる。このため、画像表示装置が電池で駆動される場合でも従来に較べてより長時間使用可能となる。
【図面の簡単な説明】
【図１】画像表示システムの構成を示す図である。
【図２】画像表示装置の構成を示すブロック図である。
【図３】通信信号のフォーマットを示す図である。
【図４】制御プログラムにおけるメインプログラムのフローチャートを示す図である。
【図５】制御プログラムにおけるトリガー受信プログラムのフローチャートを示す図である。
【図６】制御プログラムの表示モジュールプログラムのフローチャートを示す図ある。
【図７】制御プログラムにおけるトリガー検知プログラムのフローチャートを示す図である。
【図８】制御プログラムの表示コアモジュールプログラムのフローチャートを示す図である。
【図９】記憶部の記憶内容を示す図である。
【図１０】変形形態の制御プログラムにおけるメインプログラムのフローチャートを示す図である。
【図１１】メガネ型ディスプレイに実装された画像表示装置の斜視図である。
【図１２】メガネ型ディスプレイに実装された画像表示装置の図１１におけるＡ矢方向から見たＡＡ’断面図である。
【符号の説明】
１、１’  画像表示装置
６  画像表示制御装置
１１  表示部
１２  表示駆動部
１３  通信部
１４  アンテナ
１５  照明部
１７  電力調節部
１８  入力部
１９  画像生成部
２０、２０’  記憶部
２３、２３’  制御部
３１  表示・時間通信信号
３２  ＩＤ・時間通信信号
３３  ＩＤ通信信号
３４  表示通信信号
３５  時間通信信号
５１  ＩＤ
５２、４２２  表示データ
５３、４２３  時間データ
２３１、２３１’  メイン処理部
２３２  トリガー受信処理部
２３３  表示モジュール処理部
２３４  表示コアモジュール処理部
２３５  タイマ
４２１  トリガーデータ
４２４  ＩＤデータ
【図１】
2004309577.tif 000003
【図２】
2004309577.tif 000004
【図３】
2004309577.tif 000005
【図４】
2004309577.tif 000006
【図５】
2004309577.tif 000007
【図６】
2004309577.tif 000008
【図７】
2004309577.tif 000009
【図８】
2004309577.tif 000010
【図９】
2004309577.tif 000011
【図１０】
2004309577.tif 000012
【図１１】
2004309577.tif 000013
【図１２】
2004309577.tif 000014